(57)【要約】      （修正有）【課題】ユニット化された複数のブロックからなる照明制御盤において、コネクタを用いてブロック間の接続を容易、かつ確実に行うことが可能な照明制御盤を提供する。【解決手段】照明制御盤は、ユニット化された複数のブロック１０と、複数のブロックを積層して収容するラックとを備える。ブロックの前面には、一対の第１接続端子１２、１３が設けられる。ブロックの側面には、ブロックの後面から前面に向かって延びるスリット１１が設けられる。積層方向に隣り合うブッロクは、一方のブロックの第１接続端子１２と、他方のブロック第１接続端子１３とに、それぞれ嵌合する一対の第２接続端子を有するコネクタで接続される。ラックには、所定間隔に並んだ複数のガイド部４０Ａが固定される。各ブロックは、ガイド部がスリットに挿入された状態でラックに収容されている。【選択図】図５
2020187934.tif 000002
【特許請求の範囲】
【請求項１】
複数の照明器具を制御する照明制御盤であって、
所定の機能毎にユニット化された複数のブロックと、
前記複数のブロックを積層して収容するラックと
を備え、
前記各ブロックの前面には、積層方向に並んで配置された一対の第１接続端子が設けられており、
前記各ブロックの側面には、前記ブロックの後面から前面に向かって延びるスリットが設けられており、
積層方向に隣り合う２つの前記ブロックは、一方のブロックの前記第１接続端子と、他方のブロックの前記第１接続端子とに、それぞれ嵌合する一対の第２接続端子を有するコネクタで電気的に接続されており、
前記ラックには、所定の間隔に並んだ状態で延びる複数のガイド部が固定されており、
前記各ブロックは、前記各ガイド部が前記各スリットに挿入された状態で、前記ラックに収容されている、照明制御盤。
【請求項２】
前記複数のガイド部は、所定の間隔に並んだ状態で一体化されたガイドユニットで構成されている、請求項１に記載の照明制御盤。
【請求項３】
前記所定の機能は、アドレス制御機能、調光制御機能、及び、電源機能の中の少なくとも１つの機能を含む、請求項１または２に記載の照明制御盤。
【発明の詳細な説明】
【技術分野】
【０００１】
本発明は、複数の照明器具を制御する照明制御盤に関する。
【背景技術】
【０００２】
複数の照明器具を用いて照明演出等を行うに当たり、照明制御盤（調光盤）から各照明器具に制御信号を送信して、各照明器具の調光等を制御することが行われている。
【０００３】
ここで、照明制御盤には、照明演出等を制御する主制御部の他に、各照明器具のアドレスを制御するアドレス制御部、各照明器具の調光を制御する調光制御部、各照明器具への電源供給を制御する電源制御部等の電子部品が搭載されている（特許文献１）。
【先行技術文献】
【特許文献】
【０００４】
【特許文献１】特開２００６−１７９３９１号公報
【発明の概要】
【発明が解決しようとする課題】
【０００５】
照明制御盤に搭載される各電子部品を、機能毎にユニット化した複数のブロックで構成することによって、各ブロックを組み合わせることにより、照明制御盤を構築することができる。
【０００６】
この場合、照明演出等の制御内容によって必要な機能が異なるため、機能毎のブロックを組んでから、ブロック間をケーブルで接続する必要がある。しかしながら、機能によってブロックの形状が異なったり、必要な機能に応じて、ブロックの配置が異なったりするため、ケーブルの接続が複雑になり、その結果、誤配線を起こすおそれがある。
【０００７】
本発明は、かかる点に鑑みてなされたもので、その主な目的は、機能毎にユニット化された複数のブロックからなる照明制御盤において、コネクタを用いてブロック間の接続を容易、かつ確実に行うことが可能な照明制御盤を提供することにある。
【課題を解決するための手段】
【０００８】
本発明に係る照明制御盤は、複数の照明器具を制御する照明制御盤であって、所定の機能毎にユニット化された複数のブロックと、複数のブロックを積層して収容するラックとを備えている。各ブロックの前面には、積層方向に並んで配置された一対の第１接続端子が設けられており、各ブロックの側面には、ブロックの後面から前面に向かって延びるスリットが設けられている。積層方向に隣り合う２つのブロックは、一方のブロックの第１接続端子と、他方のブロックの第１接続端子とに、それぞれ嵌合する一対の第２接続端子を有するコネクタで電気的に接続されている。ラックには、所定の間隔に並んだ状態で延びる複数のガイド部が固定されており、各ブロックは、各ガイド部が各スリットに挿入された状態で、ラックに収容されている。
【発明の効果】
【０００９】
本発明によれば、機能毎にユニット化された複数のブロックからなる照明制御盤において、コネクタを用いてブロック間の接続を容易、かつ確実に行うことが可能な照明制御盤を提供することができる。
【図面の簡単な説明】
【００１０】
【図１】本発明の一実施形態における照明制御盤を構成するブロックの構成を模式的に示した斜視図である。
【図２】積層したブロック同士を接続するコネクタの構成を模式的に示した斜視図である。
【図３】複数のブロックを積層して収容するラック、及び積層したブロックを保持するガイドユニットの構成を模式的に示した斜視図である。
【図４】ガイドユニットを一対のラックに固定した状態を示した斜視図である。
【図５】ブロックにスリットにガイドユニットに挿入された状態を示した拡大図である。
【図６】４つのブロックを積層してラックに収容した状態を模式的に示した正面図である。
【図７】高さの異なるブロックを積層してラックに収容した状態を模式的に示した正面図である。
【図８】２つのガイド部を有するガイドユニットの構成を模式的に示した斜視図である。
【図９】図８に示したガイドユニットを用いて複数のブロックを積層してラックに収容した状態を模式的に示した正面図である。
【図１０】機能毎にユニット化した複数のブロックを上下に積層してラックに取り付けた状態を示した斜視図である。
【図１１】ブロックをラックに取り付ける状態を示した拡大図である。
【発明を実施するための形態】
【００１１】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１２】
図１０は、機能毎にユニット化した複数のブロック１００Ａ、１００Ｂを、上下に積層してラック２００に取り付けた状態を示した斜視図である。
【００１３】
図１０に示すように、各ブロック１００Ａ、１００Ｂの前面には、一対の接続端子１２０、１３０が配置されている。コネクタ３００は、ブロック１００Ａ、１００Ｂ間を接続する部品で、一対の接続端子３１０、３２０を有している。そして、コネクタ３００の一対の接続端子３１０、３２０を、それぞれ、ブロック１００Ａの接続端子１３０と、ブロック１００Ｂの接続端子１２０とに嵌合させることによって、ブロック１００Ａとブロック１００Ｂとが電気的に接続される。
【００１４】
ところで、各ブロック１００Ａ、１００Ｂは、図１１に示すように、ブロック１００Ａ、１００Ｂに設けられたビス穴１０１と、ラック２００に設けられたビス穴２０１とを合わせて、ビス（不図示）で締め付けることによって、ラック２００に取り付けられる。
【００１５】
このとき、ブロック１００Ａ、１００Ｂに設けられたビス穴１０１や、ラック２００に設けられたビス穴２０１の位置誤差や、ビスと各ビス穴１０１、２０１との遊びにより、ブロック１００Ａとブロック１００Ｂとの相対的位置にズレが生じる。その結果、ブロック１００Ａの接続端子１３０と、ブロック１００Ｂの接続端子１２０との相対的位置にもズレが生じる。
【００１６】
このズレが大きくなると、コネクタ３００の一対の接続端子３１０、３２０が、ブロック１００Ａの接続端子１３０、及びブロック１００Ｂの接続端子１２０に嵌合できなくなる。すなわち、ブロック１００Ａ、１００Ｂ間を、コネクタ３００を用いて接続できなくなる。それ故に、コネクタ３００を用いて接続を確実に行うためには、ブロック１００Ａ、１００Ｂ間の相対的位置を保証する必要がある。
【００１７】
図１は、本発明の一実施形態における照明制御盤を構成するブロック１０の構成を模式的に示した斜視図である。本実施形態における照明制御盤は、複数の照明器具の調光等を制御する。また、本実施形態におけるブロック１０は、所定の機能毎にユニット化されたもので、複数のブロック１０を積層してラックに収容（取付け）することによって、照明制御盤を構築する。ここで、照明制御盤に必要な所定の機能としては、照明演出等を制御する主制御機能の他に、各照明器具のＤＭＸ（Digital Multiplex）アドレスを制御する機能、各照明器具の調光を制御する機能（例えば、ＰＷＭ（Pulse Wave Modulation）機能）、各照明器具への電源供給を制御する機能等が含まれる。
【００１８】
図１に示すように、ブロック１０の前面１０ａには、積層方向Ａに並んで配置された一対の第１接続端子１２、１３が設けられている。第１接続端子１２、１３は、積層したブロック１０間で信号を伝達する端子として使用される。なお、本実施形態で例示した第１接続端子１２、１３は、ブロック１０の側面１０ｃ側で窪んだ前面１０ａ’に設けられているが、これに限定されず、ブロック１０の前面１０ａであれば、どこに設けられていてもよい。
【００１９】
ブロック１０の側面１０ｃには、積層方向Ａに垂直な方向に沿って、ブロック１０の後面１０ｂから前面１０ａ’に向かって延びるスリット１１が設けられている。ブロック１０の一方の側面１０ｄにも、同様のスリットが設けられている。また、ブロック１００の前面１０ａには、ラックに取り付けるためのビス穴１５、１６が形成されている。
【００２０】
図２は、積層したブロック１０間を接続するコネクタ３０の構成を模式的に示した斜視図である。
【００２１】
図２に示すように、コネクタ３０は、積層方向Ａに並んで配置された一対の第２接続端子３１、３２を有している。また、一対の第２接続端子３１、３２間は、配線３３で接続されている。
【００２２】
図１に示したブロック１０を積層方向Ａに積層したとき、隣り合う２つのブロック１０において、一方のブロック１０の第１接続端子１３と、他方のブロック１０の第１接続端子１２とに、それぞれ、コネクタ３０の一対の第２接続端子３１、３２を嵌合することによって、隣り合う２つのブロック１０間が電気的に接続される。これにより、コネクタ３０を介して、隣り合うブロック１０間の信号伝達が可能になる。ここで、ブロック１０に設けた第１接続端子１２、１３と、コネクタ３０に設けた第２接続端子３１、３２とは、例えば、雄雌タイプの構造をなす。
【００２３】
コネクタ３０は、図２に示すように、第２接続端子３１、３２と反対側に、保護板３４が設けられている。これにより、第２接続端子３１、３２間を接続する配線３３を保護することができる。また、保護板３４には、円弧状に切り欠けられた摘まみ部３５が設けられている。これにより、コネクタ３０の摘まみ部３５を摘まんで、第２接続端子３１、３２を、第１接続端子１２、１３に嵌合できるため、容易に隣り合う２つのブロック１０間を接続することができる。また、ブロック１０間をコネクタ３０で接続したとき、ブロック１０の前面１０ａと、保護板３４とが、ほぼ面一になるため、外観上の見栄えがよくなる。
【００２４】
図３は、複数のブロック１０を収容するラック２０、及び積層したブロック１０を保持するガイドユニット４０の構成を模式的に示した斜視図である。
【００２５】
図３に示すように、ガイドユニット４０は、積層方向Ａに垂直な方向に沿って延びる複数のガイド部４０Ａ〜４０Ｄ（図３では４つ）を有している。各ガイド部４０Ａ〜４０Ｄは、積層方向Ａに所定の間隔Ｄで並んでおり、その一端が、連結部４２で連結されている。また、各ガイド部４０Ａ〜４０Ｄには、図１に示したブロック１０のスリット１１に挿入可能な突出部４１Ａ〜４１Ｄが形成されている。ガイドユニット４０は、連結部４２に形成されたビス穴４３と、ラック２０に形成されたビス穴２１とを合わせて、ビスで締結することにより、ラック２０に固定される。
【００２６】
図４は、ガイドユニット４０を、一対のラック２０に固定した状態を示した斜視図である。なお、一方のラック２０に固定されたガイドユニット４０の突出部４１Ａ〜４１Ｄと、他方のラック２０に固定されたガイドユニット４０の突出部４１Ａ〜４１Ｄとは、互いに向き合う方向に突出している。
【００２７】
図４に示すように、ブロック１０は、矢印の方向から、ガイドユニット４０が固定されたラック２０に収容される。このとき、図５の拡大図に示すように、ブロック１０は、ガイドユニット４０の突出部４１Ａが、ブロック１０のスリット１１に挿入された状態で、ラック２０に収容される。なお、図５の拡大図では、分かりやすいように、ラック２０、及びガイドユニット４０の一部を省略している。
【００２８】
図６は、４つのブロック１０を積層して、ラック２０に収容した状態を模式的に示した正面図である。なお、ここでは、ラック２０を省略している。
【００２９】
図６に示すように、各ブロック１０は、ガイド部４０Ａ〜４０Ｄに設けられた突出部４１Ａ〜４１Ｄが、各ブロック１０に設けられたスリットに挿入された状態で、ラック２０に収容されている。上述したように、ガイド部４０Ａ〜４０Ｄは、積層方向に所定の間隔Ｄで並んでいるため、ラック２０に収容された全てのブロック１０は、ブロック１０間の相対的位置が保証されている。そのため、図２に示したコネクタ３０を用いてブロック１０間を接続する際、コネクタ３０に設けた第２接続端子３１、３２を、隣り合うブロック１０に設けた第１接続端子１２、１３に、確実に嵌合させることができる。
【００３０】
ここで、隣り合うブロック１０間に、多少の隙間を持たすために、ガイド部４０Ａ〜４０Ｄ間の所定の間隔Ｄは、ブロック１０の積層方向の高さＨよりも大きいことが好ましい。また、図６では、スリット１１を、ブロック１０の積層方向中央に設けたが、これに限定されず、積層方向の所定の位置に設けておけばよい。
【００３１】
本実施形態によれば、機能毎にユニット化された複数のブロック１０からなる照明制御盤において、各ブロック１０を、ガイド部４０Ａ〜４０Ｄが各ブロック１０のスリット１１に挿入された状態でラック２０に収容することによって、コネクタ３０を用いてブロック１０間の接続を容易、かつ確実に行うことができる。
【００３２】
図７は、高さの異なるブロック１０を積層してラック２０に収容した状態を模式的に示した正面図である。なお、ここでは、ラック２０を省略している。
【００３３】
図７に示すように、同じ高さの２つのブロック１０Ａが、倍の高さのブロック１０Ｂを間に挟んで積層されている。ここで、ブロック１０Ｂには、積層方向に、２つのスリット１１Ａ、１１Ｂが並んで設けられている。２つのスリット１１Ａ、１１Ｂの間隔は、ガイド部４０Ａ〜４０Ｄの間隔Ｄと同じである。これにより、図５で用いたガイドユニット４０と同じガイドユニット４０を用いて、ガイド部４０Ａ〜４０Ｄに設けられた突出部４１Ａ〜４１Ｄを、ブロック１０Ａ、１０Ｂに設けられたスリット１１、１１Ａ、１１Ｂに挿入することができる。
【００３４】
また、ブロック１０Ｂに設けられた一対の第１接続端子１２、１３と、ブロック１０Ａに設けられた一対の第１接続端子１２、１３とは、それぞれ、ブロック１０Ａ、１０Ｂの高さ方向両端部から同じ距離に配置されている。これにより、高さの異なる隣り合うブロック１０Ａ、１０Ｂ間における、一方のブロック１０Ａの第１接続端子１３と、他方のブロック１０Ｂの第１接続端子１２との相対的位置は、図６に示した同じ高さの隣り合うブロック１０間における、一方のブロック１０の第１接続端子１３と、他方のブロック１０の第１接続端子１２との相対的位置と同じになる。これにより、図２に示したコネクタ３０を用いて、高さの異なるブロック１０Ａ、１０Ｂ間の接続を行うことができる。
【００３５】
上記実施形態では、ガイドユニット４０に、４つのガイド部４０Ａ〜４０Ｄを設けたが、この場合、最大、４つのブロック１０をガイドユニット４０を用いて、ラック２０に収容することができる。そこで、ガイドユニット４０に、ラック２０に収容するブロック１０の想定される数に応じたガイド部を設けておくことによって、後で、ブロック１０を追加して収容する場合にも、対応することができる。
【００３６】
図８は、２つのガイド部４０Ａ、４０Ｂを有するガイドユニット４０の構成を模式的に示した斜視図である。また、図９は、このガイドユニット４０を用いて、複数のブロック１０を積層してラック２０に収容した状態を模式的に示した正面図である。なお、ここでは、ラック２０を省略している。
【００３７】
図９に示すように、各ブロック１０には、積層方向に、２つのスリット１１Ｃ、１１Ｄが並んで設けられている。積層方向に隣り合うブロック１０は、一方のブロック１０のスリット１１Ｄには、ガイドユニット４０の突出部４１Ａが挿入され、他方のブロック１０のスリット１１Ｃには、ガイドユニット４０の突出部４１Ｂが挿入されている。これにより、各ブロック１０間の間隔（隙間）は、ガイドユニット４０の突出部４１Ａ、４１Ｂの間隔で保証される。その結果、各ブロック１０間の相対的位置も、ガイドユニット４０によって保証されることになる。そのため、図２に示したコネクタ３０を用いてブロック１０間を接続する際、コネクタ３０に設けた第２接続端子３１、３２を、隣り合うブロック１０に設けた第１接続端子１２、１３に、確実に嵌合させることができる。また、図８に示したガイドユニット４０を用いるとによって、積層するブロック１０の数に関係なく、図２に示したコネクタ３０を用いて、ブロック１０間の接続を確実に行うことができる。
【００３８】
以上、本発明を好適な実施形態により説明してきたが、こうした記述は限定事項ではなく、もちろん、種々の改変が可能である。例えば、上記実施形態では、ガイドユニット４０をラック２０に固定したが、ラック２０に、ガイドユニット４０の構成を一体的に形成してもよい。
【００３９】
以上、本発明を好適な実施形態により説明してきたが、こうした記述は限定事項ではなく、もちろん、種々の改変が可能である。例えば、上記実施形態では、各ブロック１０の側面１０ｃに、積層方向Ａに垂直な方向に沿ってスリット１１を設けた例を説明したが、積層方向Ａに垂直な方向に対して、わずかに傾いて斜め上、若しくは斜め下の方向に沿ってスリット１１を設けてもよい。この場合、ガイドユニット４０に設けられた複数のガイド部４０Ａ〜４０Ｄは、積層方向Ａに対して、スリット１１と同じ方向に沿って延びている。
【００４０】
なお、上記実施形態では、複数の照明器具を制御する照明制御盤について説明したが、本発明は、照明装置以外の複数の装置を制御する制御盤にも適用することができる。すなわち、複数の装置を制御する制御盤は、所定の機能毎にユニット化された複数のブロックと、複数のブロックを積層して収容するラックとを備え、各ブロックの前面には、積層方向に並んで配置された一対の第１接続端子が設けられ、各ブロックの側面には、積層方向に垂直な方向に沿って、前記ブロックの後面から前面に向かって延びるスリットが設けられ、積層方向に隣り合う２つのブロックは、一方のブロックの第１接続端子と、他方のブロックの第１接続端子とに、それぞれ嵌合する一対の第２接続端子を有するコネクタで電気的に接続されている。そして、ラックには、積層方向に垂直な方向に沿って、所定の間隔に並んだ状態で延びる複数のガイド部が固定され、各ブロックは、各ガイド部が前記各スリットに挿入された状態でラックに収容されている。
【符号の説明】
【００４１】
１０      ブロック 
１１      スリット 
１２、１３      第１接続端子 
１２      第２接続端子 
１２、１３      第１接続端子 
１５、１６      ビス穴 
２０      ラック 
２１Ａ、２１Ｂ  ビス穴 
３０      コネクタ 
３１、３２      第２接続端子 
３３      配線 
３４      保護板 
３５      摘まみ部 
４０      ガイドユニット 
４０Ａ〜４０Ｄ    ガイド部 
４１Ａ〜４１Ｄ    突出部 
４３Ａ、４３Ｂ    ビス穴 
【図１】
2020187934.tif 000003
【図２】
2020187934.tif 000004
【図３】
2020187934.tif 000005
【図４】
2020187934.tif 000006
【図５】
2020187934.tif 000007
【図６】
2020187934.tif 000008
【図７】
2020187934.tif 000009
【図８】
2020187934.tif 000010
【図９】
2020187934.tif 000011
【図１０】
2020187934.tif 000012
【図１１】
2020187934.tif 000013